(57)【特許請求の範囲】
【請求項１】
屋外に設置される昇降機と建築中の高層建物の屋内との間に亘って建物の腰壁を超えて資材を搬入搬出する装置において、この装置が、床面にローラコンベアを敷いてその上に資材を載せることができる昇降機と、昇降機のローラコンベアと連結されて腰壁の上まで延びる延長ローラコンベアと、屋内に用意される上面にローラを覗かせた昇降可能なフォークを有するフォークリフトとからなるとともに、ローラコンベア及び延長ローラコンベアの端に資材の滑落を防止するローラコンベア及び延長ローラコンベアの両側壁に架橋され、中間に横板を渡したアーチ形をしたストッパーを設ける他、ストッパーと同じ位置に、各コンベアのローラの下方にその軸芯と直角にブレーキ軸を延設し、ブレーキ軸に設けられるレバーをストッパーと平行な方向に回動させてブレーキ軸に突設されたブレーキ片をローラに押し付けるブレーキを設けたことを特徴とする建築中等の高層建物への資材搬入搬出装置。
【請求項２】
レバーは直立させたときがブレーキ片がローラに押し付けられるブレーキ状態、横に倒してローラの上面から沈ませたときが非ブレーキ状態どなるものである請求項２の建築中等の高層建物への資材搬入搬出装置。
【請求項３】
フォークのローラが浮沈可能に構成される請求項１又は２の建築中等の高層建物への資材搬入搬出装置。
【発明の詳細な説明】
【０００１】
【産業上の利用分野】
本発明は、建築中等の中規模高層建物に屋外に設置される昇降機を利用してウ材を搬入搬出する装置に関するものである。
【０００２】
【従来の技術】
内壁材等の資材は屋階が形成されて建物があらかたでき上がった時点、即ち、床面や腰壁が形成された時点で搬入する。建物が高層屋階のような場合、人手に頼っていては労力が大変であるから、屋外に昇降機を設置し、これに資材を載せて搬入する方法がとられている。又、外壁等の資材はこれを集中して置いてある屋階から他の屋階まで搬出する必要もある。しかし、このような場合に昇降機を利用するとしてもなかなか容易ではない。何故なら、重い資材を持って昇降機から屋階の腰壁を超えて搬入搬出しなければならないからである。特に、間に足場がある場合は、この足場を超えて搬入搬出しなければならない。
【０００３】
【発明が解決しようとする課題】
このため、昇降機と腰壁との間に渡し板を渡して腰壁まで押し込み、腰壁から床面までは渡し板を斜めに掛けて揚げ降ろすようなことをしていた。従って、労力を必要とする上に能率が悪く、更に、作業者はこれらの上で力仕事をしなければならないから、危険でもあった。
本発明は、このような課題を解決するものであり、要するに、軽くて安全、しかも、能率的な資材搬入搬出装置を提供するものである。
【０００４】
【課題を解決するための手段】
以上の課題の下、本発明は、屋外に設置される昇降機と建築中の高層建物の屋内との間に亘って建物の腰壁を超えて資材を搬入搬出する装置において、この装置が、床面にローラコンベアを敷いてその上に資材を載せることができる昇降機と、昇降機のローラコンベアと連結されて腰壁の上まで延びる延長ローラコンベアと、屋内に用意される上面にローラを覗かせた昇降可能なフォークを有するフォークリフトとからなるとともに、ローラコンベア及び延長ローラコンベアの端に資材の滑落を防止するローラコンベア及び延長ローラコンベアの両側壁に架橋され、中間に横板を渡したアーチ形をしたストッパーを設ける他、ストッパーと同じ位置に、各コンベアのローラの下方にその軸芯と直角にブレーキ軸を延設し、ブレーキ軸に設けられるレバーをストッパーと平行な方向に回動させてブレーキ軸に突設されたブレーキ片をローラに押し付けるブレーキを設けたことを特徴とする建築中等の高層建物への資材搬入搬出装置を提供する。
【０００５】
【作用】
以上の手段をとることにより、資材は昇降機から屋内に用意されたフォークリフトのフォークまでをローラコンベアの上に転動させて移動できるから、駆る位置からで移動でき、省力化を果たすととともに、安全でもある。これにおいて、ローラコンベアや延長ローラコンベアには資材の脱出を防ぐストッパーやローラにブレーキを効かすブレーキを設けたものであるから、更に安全になるとともに、ストッパーも二重になる。
【０００６】
【実施例】
以下、本発明の実施例を図面に基づいて説明する。図１は建物外に設置される昇降機を使用して資材を室内に搬入する状態を示す斜視図、図２は側面図であるが、昇降機４０ゆ床面に資材移動用のローラコンベア４２を敷き、この上に資材４４を載せて上昇させる。所定の屋階まで上昇すると、昇降機４０は自動又は手動で停止するが、このとき、昇降機４０と屋階の腰壁４６との間にはプラットホームと呼ばれる足場４８が構築されているのが通常であるから、この上に延長ローラコンベア５０を置き、各々のローラコンベア４２、５０を接続して昇降機４０と腰壁４６との間を連続させる。尚、延長ローラコンベア５０は一つの場合もあるし、図示のように複数のものを連結する場合もある。
【０００７】
これらローラコンベア４２、５０の接続はそれぞれ別体のものを図示のようにフック５２を掛けて行うものであってもよいし、予めピン（図示省略）等で連結しておき、使用しないときには折り畳めるようにしたものであってもよい（昇降時に昇降機４０からはみ出る場合は上方に折り曲げるか分離して昇降機４０に載せるかして邪魔にならないようにしておく）。この他、各々のローラコンベア４２、５０の両端には収納自在又は取り外し可能なストッパー５４を設けて資材４４がずれないようにしてあり、更に、後述するフォークリフト３８に設けられるフォーク２０の前端にも同様のストッパー５６が設けられている。
【０００８】
図３はこれらローラコンベア４２、５０の一部断面側面図、図４は一部断面正面図であるが、これらローラコンベア４２、５０を構成するローラ８０には安全のためにブレーキも掛かるようにしてある。即ち、端から二三個のローラ８０の下方に軸芯と直角にブレーキ軸８２を延設し、このブレーキ軸８２をレバー８４の回動で回転させてブレーキ軸８２に突設されたブレーキ片８６がローラ８０に押し付けられるとブレーキが掛かるようにしたものである。尚、レバー８４はローラコンベア４２、５０の端（ストッパー５４と同じ位置）に設け、直立させたときがブレーキ状態、横に倒してローラ８０の上面から沈ませたときが非ブレーキ状態とする。これにより、レバー８４はストッパーも兼用するものとなる。
【０００９】
図３等には前記したストッパー５４も示されているが、本例にとけるストッパー５４はローラコンベア４２、５０の両側壁８８に架橋される中間に横板９０を渡したアーチ形をしているものであり、その下部を側壁８８に設けられた挿入筒９２に挿抜して使用するものである。そして、この挿入筒９２は側壁８８に所定間隔を置いて複数個設けられており、ストッパー５４を設ける間隔を調整することができるようにしてある。
【００１０】
この他、図示は省略するが、モータ等でローラ８０を強制的に回転させる電動ローラとしてもよい。具体的には、ローラ８０の一つにモータを組み込み、後のローラ８０はベルト等で駆動するもの、モータを別置し、これから伝動機構で各ローラ８０を駆動するもの等が考えられる。電動ローラによると、人が押さなくても資材４４を移動できる利点があり、安全性がより高い。
【００１１】
昇降機４０と腰壁４６との間を以上の二つのローラコンベア４２、５０で接続したなら、室内にフォークリフト３８を用意してこれを腰壁４６まで移動させ、そのフォーク２０をこれらローラコンベア４２、５０の高さまで上げてこれらと連続させる。そして、昇降機４０の資材４４をこれらローラコンベア４２、５０上を転動させてフォーク２０まで移動させる。ところで、この場合、フォーク２０には、資材４４を滑らせるときにはフォーク２０の上面から覗き、そうでないときには引っ込む浮沈可能なローラ３０が装備されたものが適する。
【００１２】
図５はこの構成を備えたフォーク２０の一部断面側面図、図６は一部断面平面図であるが、フォーク２０内に二枚の板を対向させた形状のホルダー２８を上下動可能に設けるとともに、ホルダー２８に複数個のローラ３０を所定間隔で取り付ける。そして、ホルダー２８が下方に動いたときにはローラ３０がフォーク２０の上面から隠れ、上方に動いたときには上面から覗くようにしておく。このため、フォーク２０の上面にローラ３０が覗けるだけの窓３２を設けておき、この窓３２の下にローラ３０を設ける。
【００１３】
ホルダー２８を上下動する構成としては、最後部のローラ３０の軸３４をフォーク２０の側面にまで通し、この軸３４を中心に回動可能にするものが考えられる。尚、ホルダー２８の上下動は一定の範囲で規制される必要があるから、ホルダー２８の側面にピン３６を突設し、フォーク２０の側面に形成した上下の長孔３８の中を通しておく。これにより、ピン３６が長孔３８の下端に当たるときが下方動の限界であり、このとき、ローラ３０はフォーク２０上面から隠れ、上端に当たるときが上方動の限界であり、このとき、ローラ３０はフォーク２０上面から覗くことになる。
【００１４】
図７〜図１２は資材４４の搬入手順を示す説明図であるが、先ず、フォーク２０を腰壁４６より高く上げて足場４８の上に降ろす（図７）。フォーク２０が足場４８の上に着地すると、ホルダー２８は相対的に上昇してローラ３０はフォーク２０の上面に覗く（図８）。尚、これが確実に行われるように、ホルダー２８の前端には下方に突出部５８を形成しておく（突出部５８の先端にローラ６０を設けてもよい）。
【００１５】
次いで、各ローラコンベア４２、５０のストッパー５４を解除し（このとき、フォーク２０のストッパー５６は引っ込めておく）、資材４４をローラコンベア４２、５０からフォーク２０のローラ３０へと滑らせ（図９）、資材４４がフォーク２０のローラ３０へ移し終わったなら、フォーク２０のストッパー５６を上げてロックする（図１０）。この状態の後、フォーク２０を上昇させると、ホルダー２８は相対的に下降してローラ３０はフォーク２０の上面から隠れ、資材４４はフォーク２０の上面で支えることになる（図１１）。最後に、フォークリフト３８を後退させ、資材４４を床面に降ろせば、搬入は完了する（図１２）。
【００１６】
以上は、屋外（地上の場合が多い）にある資材４４を昇降機４０を利用して屋内に搬入する場合であるが、これと反対に搬出する場合もある。即ち、ある屋階に資材４４を集中して保管しておき、必要に応じて他の屋階に運ぶようなときである。この場合は、昇降機４０にローラコンベア４２を敷いた状態で搬出する屋階まで昇降させ、次いで、延長ローラコンベア５０を敷設し、フォークリフト３８を使用して資材４４を昇降機４０まで搬出することになる。
【００１７】
図１３は以上において使用されるフォークリフト３８の側面図、図１４は正面図であるが、フォークリフト３８は車輪１０を取り付けたフレーム１２の後部に支柱１４を起立させるとともに、フォーク取付体１６を支柱１４に対して油圧シリンダ１８等で昇降可能に取り付け、フォーク取付体１６に二本のフォーク２０を取り付けたものである。フォークリフトの操縦は支柱１４の後部に設けられたハンドル２２で行い、フォーク２０の昇降、即ち油圧シリンダ１８の伸縮は支柱１４の後方に設けられた昇降ペダル２４又はノブ２６で行う。
【００１８】
又、フォーク２０はフォーク取付体１６に対して横方向にスライドできるようになっている。これにより、フォーク２０の間隔が調整でき、資材４４の長短に対応できる。尚、本例のフォーク取付体１６は支柱１４よりもかなり側方に出っ張っており、大きな調整代をとってある。更に、フォーク２０の後部はフォーク取付体１６に対して回動支点７０で枢着されており、フォーク２０はこの回動支点７０を中心に起立できるようになっている。これにより、フォーク２０非使用時等の小スペース化を可能にしている。
【００１９】
ところで、以上は足場４８の外側に昇降機４０を設置した場合であるが、建築形態によっては足場のない場合又は足場を一部欠いてこれと同じ位置に昇降機４０を設置することがある。このような場合は、昇降機４０のローラコンベア４２と腰壁４６との間に直に延長ローラコンベア５０を渡すことになる。従って、昇降機４０のローラコンベア４２との連結を強固にするとともに、この間に渡される延長ローラコンベア５０自体も強度の高いものが要求されることになる。
【００２０】
【発明の効果】
以上、本発明は、前記したものであるから、高層建物に搬入又はこれから搬出する資材を屋外に設置した昇降機から建物の腰壁を越えて屋内に用意したフォークリフトまで極めて軽い力で移動できる。このため、能率が上がるのは勿論、作業者も昇降機や足場或いは腰壁の上で力作業をしなくてよくなるから、安全性も高まる。
【図面の簡単な説明】
【図１】本発明の実施例を示す斜視図である。
【図２】本発明の実施例を示す側面図である。
【図３】本発明に用いられるローラコンベアの一部断面側面図である。
【図４】本発明に用いられるローラコンベアの一部断面正面図である。
【図５】本発明に用いられるフォークリフトのフォークの一部断面側面図である。
【図６】本発明に用いられるフォークリフトのフォークの一部断面平面図である。
【図７】本発明における資材の搬入手順を示す説明図である。
【図８】本発明における資材の搬入手順を示す説明図である。
【図９】本発明における資材の搬入手順を示す説明図である。
【図１０】本発明における資材の搬入手順を示す説明図である。
【図１１】本発明における資材の搬入手順を示す説明図である。
【図１２】本発明における資材の搬入手順を示す説明図である。
【図１３】本発明に用いられるフォークリフトの側面図である。
【図１４】本発明に用いられるフォークリフトの正面図である。
【符号の説明】
２０  フォーク
３０  フォークのローラ
３８  フォークリフト
４０  昇降機
４２  ローラコンベア
４４  資材
４６  腰壁
４８  足場
５０  延長ローラコンベア
５４  ストッパー
８０  ローラコンベアのローラ
８２  ブレーキ軸
８４  レバー
８６  ブレーキ片
９０  横板
【図１】
0003569302.tif 000002
【図２】
0003569302.tif 000003
【図３】
0003569302.tif 000004
【図４】
0003569302.tif 000005
【図５】
0003569302.tif 000006
【図６】
0003569302.tif 000007
【図７】
0003569302.tif 000008
【図８】
0003569302.tif 000009
【図９】
0003569302.tif 000010
【図１０】
0003569302.tif 000011
【図１１】
0003569302.tif 000012
【図１２】
0003569302.tif 000013
【図１３】
0003569302.tif 000014
【図１４】
0003569302.tif 000015